(57)【要約】  噴霧される媒体の供給源（１）と、噴霧される媒体を、媒体供給源から、所望のときに媒体がそこを通って噴霧される少なくとも１つのスプレーヘッド（２０）まで運ぶための手段（５、１５、１７、１８）とを有する噴霧設備、特に消火設備における方法。この方法は、噴霧される媒体を少なくとも１つの媒体処理ユニット（２）を介して循環させること、および／または、少なくとも必要時に媒体の温度を操作することを含む。本発明はまたは装置に関する。
2009528870.tif 000002
【特許請求の範囲】
【請求項１】
噴霧される媒体の供給源（１）と、噴霧される前記媒体を、前記媒体供給源から、所望のときに前記媒体がそこを通って噴霧される少なくとも１つのスプレーヘッド（２０）まで運ぶための手段（５、１５、１７、１８）とを有する噴霧設備、特に消火設備における方法であって、噴霧される前記媒体を少なくとも１つの媒体処理ユニット（２）を介して循環させる処理、および／または、少なくとも必要時に前記媒体の温度を操作する処理を含むことを特徴とする方法。
【請求項２】
前記媒体が、前記媒体を濾過および／または浄化することにより、ならびに／あるいは、前記媒体を化学的および／または生物学的に処理することにより、前記処理ユニット（２）内で処理されることを特徴とする、請求項１に記載の方法。
【請求項３】
前記媒体を運ぶように設計されたパイプシステム内のおよび／またはタンクなどの前記媒体供給源（１）内の前記媒体の少なくとも一部が、前記処理ユニット（２）を通って循環することを特徴とする、請求項１または２に記載の方法。
【請求項４】
前記媒体が、少なくとも、前記噴霧設備が作動状態にないときに、前記処理ユニット（２）を介して循環することを特徴とする、請求項１乃至３のいずれか１項に記載の方法。
【請求項５】
噴霧される前記媒体の温度が、タンクなどの前記媒体供給源（１）内で調節されることを特徴とする、請求項１乃至４のいずれか１項に記載の方法。
【請求項６】
噴霧される前記媒体が水媒体であることを特徴とする、請求項１乃至５のいずれか１項に記載の方法。
【請求項７】
前記媒体が実際の噴霧圧より低い圧力で循環することを特徴とする、請求項１乃至６のいずれか１項に記載の方法。
【請求項８】
前記媒体が前記媒体処理ユニット（２）を介して定期的または連続的に循環することを特徴とする、請求項１乃至７のいずれか１項に記載の方法。
【請求項９】
前記媒体が複数の前記スプレーヘッド（２０）のうちの少なくとも一部を通って循環することを特徴とする、請求項１乃至８のいずれか１項に記載の方法。
【請求項１０】
前記媒体がポンプ手段（５）の圧送方向に対して逆方向に循環することを特徴とする、請求項１乃至９のいずれか１項に記載の方法。
【請求項１１】
循環ポンプ（３）によって生み出される圧力が、前記噴霧システムの待機中の圧力として使用されることを特徴とする、請求項１乃至１０のいずれか１項に記載の方法。
【請求項１２】
厳しい衛生状態の要求基準を伴う環境において消火設備と共に使用されることを特徴とする、請求項１乃至１１のいずれか１項に記載の方法。
【請求項１３】
噴霧される媒体の供給源（１）と、噴霧される前記媒体を少なくとも１つのスプレーヘッド（２０）まで運ぶための手段（５、１５、１７、１８）とを有する噴霧設備、特に消火設備における装置であって、少なくとも１つの処理ユニット（２）と、噴霧される前記媒体の少なくとも一部を前記処理ユニット（２）を通して循環させる手段（３、１６）とを有することを特徴とする装置。
【請求項１４】
前記処理ユニット（２）が、前記媒体を濾過および／または浄化するための手段、ならびに／あるいは、前記媒体を化学的および／または生物学的に処理するための手段を有することを特徴とする、請求項１３に記載の装置。
【請求項１５】
前記媒体の温度を調節するための手段（２１）を有することを特徴とする、請求項１３または１４に記載の装置。
【請求項１６】
前記システムの作動後に水霧を生成して噴霧する手段（２０）を有することを特徴とする、請求項１３乃至１５のいずれか１項に記載の装置。
【請求項１７】
前記装置の少なくとも作動後に前記噴霧媒体を少なくとも１つのスプレーヘッド（２０）まで運ぶための、最も適切には高圧ポンプであるポンプ手段（５）を有することを特徴とする、請求項１３乃至１６のいずれか１項に記載の装置。
【請求項１８】
前記スプレーヘッド（２０）が、消火での用途を意図したスプリンクラヘッドなどのスプレーヘッドであることを特徴とする、請求項１３乃至１７にいずれか１項に記載の装置。
【請求項１９】
前記装置が、消火システムなどの噴霧システムと一体に接続される循環路を有し、前記循環路が、循環ポンプ（３）と、少なくとも１つの処理ユニット（２）と、導管（１６）とを有することを特徴とする、請求項１３乃至１８のいずれか１項に記載の装置。
【請求項２０】
前記スプレーヘッド（２０）うちの少なくとも一部を実質的に通る媒体の循環を引き起こす手段を有することを特徴とする、請求項１３乃至１９のいずれか１項に記載の装置。
【請求項２１】
前記噴霧設備での前記媒体の前記循環を制御および／または調節するための弁要素および／またはチョーク要素（ｃｈｏｋｅｒ  ｅｌｅｍｅｎｔ）などの手段を有することを特徴とする、請求項１３乃至２０のいずれか１項に記載の装置。
【請求項２２】
前記噴霧設備が、厳しい衛生状態の要求基準を伴う環境のための消火設備であることを特徴とする、請求項１３乃至２１のいずれか１項に記載の装置。
【請求項２３】
前記循環路の少なくとも一部分が、噴霧圧より低い圧力および／または体積流量に適合された、導管ならびに流れ制御および流れ遮断要素などの構成部品を有することを特徴とする、請求項１３乃至２２のいずれか１項に記載の装置。
【請求項２４】
前記循環ポンプ（３）が、前記循環路内で、噴霧に使用される前記ポンプ手段（５）の圧送方向に対して逆方向に前記媒体を循環させるように構成されていることを特徴とする、請求項１３乃至２３のいずれか１項に記載の装置。
【発明の詳細な説明】
【技術分野】
【０００１】
本発明は、噴霧される媒体の供給源と、噴霧される媒体を、媒体供給源から、所望のときに媒体がそこを通って噴霧される少なくとも１つのスプレーヘッドまで運ぶための手段とを有する噴霧設備、特に消火設備において使用される、請求項１の前提部で定義される方法に関する。
【０００２】
本発明はまた、噴霧される媒体の供給源と、噴霧される媒体を媒体供給源から少なくとも１つのスプレーヘッドまで運ぶ手段とを有する噴霧設備、特に消火設備において使用される、請求項１３の前提部で定義される装置に関する。
【背景技術】
【０００３】
噴霧設備、特に消火設備では、消火媒体などの噴霧媒体は、典型的には、システムのコンテナおよび／または配管内に長期間保持される。したがって、消火媒体などの噴霧媒体内の不純物による一方、媒体内に存在する可能性があるバクテリア、ウィルスなどの微生物による問題が発生する場合がある。これらには、特に衛生状態に関する厳しい要求基準を遵守しなければならない用途において不利益をもたらす可能性がある。不純物の混じった消火媒体などの噴霧媒体が有害な影響をもたらす可能性がある用途には、例えば病院が含まれる。例えば、病院において、外科疾患の患者は、消火システムが作動された場合に、外科創傷が不純物の混じった消火媒体などの噴霧媒体にさらされることにより甚大な被害の影響を受ける可能性がある。現存の消火システムにおける別の問題が、消火媒体と保護される施設との温度差により生じることがある。これは、病院の患者にとっては、あまりにも大きな温度差もまた、様々な合併症の危険性を増大させるなどの有害な影響を及ぼす可能性があるためである。
【発明の開示】
【発明が解決しようとする課題】
【０００４】
本発明の目的は、先行技術のいくつかの欠点を回避することを可能にするまったく新しいタイプの解決策を作り出すことである。本発明の重要な目的は、関連する衛生状態の要求基準をできるだけ厳密に満たした状態で消火システムにおける消火媒体などの噴霧媒体が保持されるのを可能にする解決策を実現することである。本発明の別の目的は、厳しい衛生状態の要求基準が課されている病院などの場所で利用可能である消火システムを作り出すことである。本発明の別の目的は、消火媒体の温度を規定範囲内に維持することができる消火システムを実現することである。
【課題を解決するための手段】
【０００５】
本発明は、噴霧されることを意図する媒体、特に消火システムにおける消火媒体が、消火媒体に浄化処理などの所望の処理を施すことができる処理ユニットを通って連続的にあるいは定期的に循環するという考え方に基づく。
【０００６】
より正確に定義すると、本発明の方法は、噴霧される媒体を少なくとも１つの媒体処理ユニットを通して循環させること、および／または、少なくとも必要時に媒体の温度を操作することを含むことを主に特徴とする。
【０００７】
本発明の方法はさらに、請求項２〜１２に記載される事項を特徴とする。
【０００８】
本発明の装置は、少なくとも１つの処理ユニットと、噴霧される媒体の少なくとも一部を処理ユニットを通して循環させる手段とを有することを特徴とする。
【０００９】
本発明の装置はさらに、請求項１３〜２４に記載される事項を特徴とする。
【００１０】
本発明の解決策は多数の重要な利点を有する。噴霧媒体を処理ユニットを通して循環させることにより、媒体の純度水準および／または温度水準などの特性の水準を適切に維持することが可能になる。例えば、本発明は、消火媒体の特性を環境に応じて課される要求基準に適合させる形で、高水準の衛生状態が求められる空間において火災防護を実現することを可能にする。これにより、例えば病院内で消火システムが作動した場合、消火媒体により引き起こされる患者の合併症の危険性を最小にすることができる。本発明は、必要に応じて種々の処理を処理ユニット内で構成することを可能にする。処理装置は、例えば、噴霧媒体の紫外線処理、種々の濾過処理、および／または化学処理を含んでよい。本発明は、媒体から例えば有害な粒子および／または生物体を除去するのを可能にする。本発明と共に温度制御を実現することにより、媒体を所望の温度に維持することが可能になる。媒体供給源または処理ユニットに熱抵抗器などの加熱装置を設けることにより、さらにはシステム内に媒体を循環させることにより、非常に大きなシステムの様々な部分においても媒体の温度を所望の水準に維持することができるようになる。媒体の循環により、媒体が処理ユニットを通って循環するときに媒体の純度を所望の水準に維持することが可能になる。同時に一方で、これにより、媒体が配管内で停滞することが確実になくなる。さらに、水が加熱要素の適用範囲を通って循環することから、温度は適切な水準に維持される。本発明の好適な実施形態によると、循環路の一部分は、例えば、プラスチックパイプもしくはホースなどの低圧での使用のために設計されたパイプ、または、弁要素といった、実際の消火での使用のための配管より経済的な構成部品を使用して構築されることができる。低圧および／または低流速に適合した循環路の構成部品は、典型的にはサイズおよび重量が小さい。さらに、これらは設置が容易である。循環路はまた、システム内で、消火パイプの待機中の圧力を維持するために使用されることができる。実際の消火パイプを循環路の戻し導管（ｒｅｔｕｒｎ  ｃｏｎｄｕｉｔ）として使用することにより、循環を実行するための有利な代替形態が実現される。圧力および／または流量の制限要素をシステムに設けることにより、実際の消火システムの構成部品より低い圧力および／または低い流量下で働くように設計された循環路の構成部品は、消火システムが作動したときに保護されることができる。
【００１１】
以下では、本発明を、実施例および添付図面を参照しながら詳細に説明する。
【発明を実施するための最良の形態】
【００１２】
本発明は、噴霧される媒体の供給源１と、噴霧媒体を、媒体供給源から、所望のときに媒体がそこを通って噴霧される少なくとも１つのスプレーヘッド２０まで運ぶための手段５、１５、１７、１８とを有する噴霧設備、特に消火設備における方法に関する。この方法では、噴霧される媒体は、少なくとも１つの媒体処理ユニット２を通って循環する。
【００１３】
本方法の一実施形態によると、媒体は、濾過および／または浄化することにより、ならびに／あるいは、媒体を化学的におよび／または生物学的に処理することにより、ならびに／あるいは、少なくとも必要時に媒体の温度を操作することにより、少なくとも１つの媒体処理ユニット２内で処理される。
【００１４】
媒体を運ぶように設計されたパイプシステム１５、１７、１８、１９において、あるいは／または、タンクなどの媒体供給源１において、媒体の少なくとも一部は、処理ユニット２を通って循環する。典型的には、媒体は、噴霧設備が少なくとも作動状態にないときに、処理ユニット２を介して循環する。
【００１５】
本発明の一実施形態によると、噴霧される媒体の温度は操作される。一実施形態では、噴霧される媒体の温度は調節される。
【００１６】
本発明の一実施形態では、噴霧される媒体は、典型的には、水媒体である。消火設備では、適当な添加剤を含有してよい例えば水媒体を使用することが可能である。
【００１７】
本方法の一実施形態によると、媒体は、実際の噴霧圧より低い圧力で循環する。この方法では、媒体は、処理ユニット２を介して定期的または連続的に循環する。本方法の好適な実施形態によると、媒体は、パイプシステム内を、消火システムが実際に作動した後の消火パイプ内での媒体の循環方向に対して逆方向に循環する。
【００１８】
本方法の一実施形態では、媒体は、複数のスプレーヘッドのうちの少なくとも一部を通って循環する。それにより、この方法によると、用途に応じて、循環がシステム全体にあるいはシステムの一部のみに及ぶような種々の媒体循環構成を形成することが可能になる。
【００１９】
本発明はまた、噴霧される媒体の供給源と、噴霧媒体を媒体供給源から少なくとも１つのスプレーヘッド２０まで運ぶための手段５、１５、１７、１８とを有する噴霧設備、特に消火設備における装置に関する。この装置は、少なくとも１つの処理ユニット２と、噴霧される媒体の少なくとも一部を処理ユニットを通して循環させるための手段３、１６とを有する。
【００２０】
一実施形態では、処理ユニット２は、例えば、媒体を濾過および／または浄化するための手段、ならびに／あるいは、媒体を化学処理するための手段、ならびに／あるいは、媒体の温度を操作するための手段を有する。処理ユニットでは、濾過、浄化または化学処理などの様々な処理を媒体に施すことができる。利用可能な処理には、水浄化に使用されるほとんどすべての処理が含まれてよい。
【００２１】
一実施形態によると、装置は、媒体の温度を調節するための手段２１を有する。
【００２２】
一実施形態によると、装置は、システムの作動後に、媒体スプレー、好ましくは媒体ミスト、特に水霧、好ましくは高圧水霧を生成して噴霧するための、少なくとも１つのスプレーヘッドなどの手段２０を有する。
【００２３】
装置は、システムの少なくとも作動後に噴霧媒体を少なくとも１つのスプレーヘッド２０まで運ぶための、最も適切には高圧ポンプであるポンプ手段５を有する。システムのいくつかの構成部品は低圧用に適合されていてよく、その場合、システムは、これらの構成部品への高圧の影響を回避するための手段を有する。これらの構成部品は、典型的には、種々の弁要素である。例えば、循環路１６は、ポンプ５の起動後に、ポンプ手段の圧迫側からの圧力の影響を回避するための戻り止め弁４を備える。
【００２４】
一実施形態では、スプレーヘッド２０は、消火用に設計されたスプリンクラヘッドなどの噴霧ヘッドである。
【００２５】
一実施形態では、装置は、消火システムなどの噴霧システムと一体に接続されておりさらに循環ポンプ３と少なくとも１つの処理ユニット２と導管１６とを有する循環路を有する。
【００２６】
別の実施形態では、装置は、好適には、複数のスプレーヘッド２０のうちの少なくとも一部を実質的に通る媒体の循環を引き起こすための手段を有する。
【００２７】
装置は、噴霧設備における媒体の循環を制御および／または調節するための弁要素および／またはチョーク要素（ｃｈｏｋｅｒ  ｅｌｅｍｅｎｔ）などの手段を有する。
【００２８】
一実施形態によると、本発明の噴霧装置は、特に病院、研究所、および、噴霧される消火媒体の純度および他の特性に厳しい要求基準が課されている他の施設のための消火システムとして使用されることができる。消火媒体、特に導管内で消火媒体を運ぶのに使用される水の消火媒体は、処理ユニット２内で、浄化装置、特に水浄化装置などの処理装置を通って循環することによって可能な限り純粋に維持される。さらに、消火媒体などの噴霧媒体、特にシステム内の水の温度は、例えば、例としては＋２０度〜＋３０度の間といった所望の範囲内に温度を維持することによって操作されることができる。したがって、保護される施設の温度に対しての消火媒体の温度の差は、所望の温度範囲から下がるまたは上がることはない。これにより、ノズルを引くことによる消火システムの作動後、例えば過度に冷たい水による病院内の患者の合併症の可能性を最小にすることができる。
【００２９】
本発明の消火システムは、様々な実施形態として実施されることができる。以下で、４つの好適な実施形態を説明する。それぞれの代替形態に関連して、前の実施形態と比較される新しい態様として追加の特徴を説明する。図１は一実施形態を示しており、ここでは、待機モードにおいて、システムの消火媒体、特に水の消火媒体が、例えば、低圧循環水ポンプ３ならびに高圧導管と低圧導管とを分離する戻り止め弁４を通り、さらに、システムの配水導管１７を通り、さらに最後に、戻し導管（ｒｅｔｕｒｎ  ｃｏｎｄｕｉｔ）１９と水タンク１などの媒体供給源内に戻る戻し弁６とを通ることにより、連続的または定期的に加熱される水タンク１から導管１５、１６を介して水処理装置などの処理ユニット２まで循環する。
【００３０】
水タンク１のサイズはシステムの配管の容積に応じて決まり、水の循環速度が正確である場合、中に配置される熱抵抗器２１を用いてシステムのあらゆる部分の温度が例えば＋２０〜＋３０度になるように設計される。タンクのサイズに影響する可能性ある別の要素は必要とされる時間の長さであり、この時間の間は、スプレーヘッド２０の開いたノズルに供給するための十分に温かい浄化水が存在しなければならない。
【００３１】
一実施形態では、処理ユニット２は、例えば、水の紫外線処理、特別のフィルタ、ならびに、水の化学的および／または生物学的処理を含んでよい。装置の一実施形態は、システム内の水から有害な粒子または生物体をできるだけ除去するように設計される。
【００３２】
循環ポンプ３は、システム内の媒体を連続的にあるいは一定の時間間隔でのどちらかで循環させる。例えば水といった媒体の循環の目的は、例えば一定の衛生状態の要求基準を満たすように媒体を所望の特性に維持することであり、さらには、連続的または定期的な浄化によりおよびタンク１から温かい媒体を供給することにより媒体を所望の温度範囲内に維持することであり、さらに加えて、噴霧される媒体が配管内で停滞するのを防止することである。
【００３３】
戻り止め弁４は、システムの主ポンプユニット５の起動後に循環水ポンプ３に高い圧力が入り込むのを防止する。戻し弁６もまた水タンクに高い圧力が入り込むのを防止する。戻し弁６は例えば電子制御または液圧制御の弁であってよく、この戻し弁は配管１７、１８、１９内の圧力が上昇することによって閉じる。
【００３４】
タンク１などの媒体供給源に含まれる噴霧される媒体は、純粋な水などのはじめから所望の特性の媒体であってもよく、この場合、例えば所望の時間間隔といった必要なときに変化するように追加的に構成されることができる。例えば火災状況において噴霧設備が作動してさらにタンク１が空になった場合、追加の媒体が例えば配水網から注入弁（ｆｉｌｌｉｎｇ  ｖａｌｖｅ）８を介して供給されることができる。
【００３５】
図１によるこの実施形態では、システムは、システム配管内の水の一定部分のみがポンプ５から局部弁７まで循環するように限定され、それにより、導管１８の、弁７からスプレーヘッド２０まで延在する部分は循環から外されたままになる。
【００３６】
図２は本発明の第２の実施形態を示しており、ここでもやはり、ノズル２０に供給するための配水路１８が媒体循環路内に含まれる。スロットル要素、特に調節可能スロットルなどの流量制御要素９を使用して、種々のスプリンクラ領域を通る体積流量を釣り合わせることができる。別法として、計算によって定められた不可変スロットルを例えば使用することが可能である。
【００３７】
図３は本発明の第３の実施形態を示しており、この解決策では、媒体が、適当なスプレーヘッドが取り付けられたソケット構成１０を例えば使用することにより、やはりスプレーヘッド２０を通って循環する。さらに、待機状態では閉じている弁１１を介して、通常は中間戻り路として機能する導管２２も、火災状況においてスプレーヘッド２０に媒体を供給するに使用されることができ、それにより、供給導管ごとの圧力損失を少なくすることが可能になり、さらにそれにより導管サイズを小さくすることができる。
【００３８】
スロットル９と一体に配置される戻り止め弁１２により、導管１９の方向からの、大きな損失のない媒体の流れが可能となる。
【００３９】
図４は、水がすべてのノズルを通って循環するように構築された第４の実施形態を示している。各ノズルソケットは２つの異なるパイプに直接に接続される。スロットル１３は各ノズルに対して迂回路を備える。戻り止め弁１４は、やはり、火災状況において水循環戻し路が水供給路としても使用されるのを可能にする。
【００４０】
図１および２に示した実施形態では、戻し路１９は、間に戻り止め弁を使用することによりはじめからポンプに直接に接続されていてよい。この場合はまた、導管サイズを小さくすることが可能となる場合がある。
【００４１】
例えば火災状況においてスプレーヘッドの作動を確実に検知するために、スプリンクラ、循環水ポンプ３、および配管内のスロットルの起動は、スプリンクラを開くことにより配管内の圧力が明らかに低下するように設計される。
【００４２】
図５に本発明の別の実施形態を示す。ここでは、循環路内での媒体の循環は、配管の少なくとも一部分において、消火システムの作動状態での媒体の流れ方向（図５の矢印２５）に対して逆方向（図５の矢印２６）に媒体が循環するように、構成される。図５に示した実施形態では、液体は、循環ポンプ３により、媒体供給源１からパイプ手段１６を介して最初に処理ユニット２を通るように循環する。図５の図では、処理ユニット２は放射線ユニットであり、ここでは、循環する液体が放射線にさらされる。この図の場合、システムは、特に、紫外線（ＵＶ）すなわち紫外線処理を使用する。媒体は、循環水ポンプ３により、処理ユニット２から、第１の端部が媒体供給源に接続されており第２の端部が実際の消火配管１７、１８に接続されている循環路配管１６を介して運ばれる。循環は、連続的に、あるいは、例えば、循環路内の例えば電磁弁などの弁２３Ａ、２３Ｂ、２３Ｃ、２３Ｄを所望の時間間隔で開くことによるパルスで、のどちらかで引き起こされる。１度に１つまたは複数の弁を開くことができる。弁を所与の順序で開くことができる。一実施形態によると、弁２３Ａ、２３Ｂ、２３Ｃ、２３Ｄは、一定の順序で、１回に例えば５分といった短い時間だけ開かれる。それにより、例えばシステムの所望の部分で媒体を循環させることが可能になり、ある時間において配管の一部分のみに循環を引き起こすことができる。
【００４３】
図の実施形態では、循環ポンプ５の出力は実質的にスプリンクラの流量より低い。一実施形態によると、循環ポンプの出力は、スプリンクラの流量の例えば５〜２０％程度、好ましくは約１０％である。この場合、循環路内で使用される配管の少なくとも一部分は、実際にスプリンクラで使用されることを意図した配管より直径が小さくてよい。循環配管内で使用される部分１６、１６Ａ、１６Ｂ、１６Ｃ、１６Ｄは、例えばプラスチックパイプ、好ましくは低圧パイプでよい。パイプ／ホース１６、１６Ａ、１６Ｂ、１６Ｃ、１６Ｄは容易に取り付けられることができるため、重くて高価なあらゆる支持体を必要としない。循環ポンプ３の圧力は、スプリンクラポンプ５の圧力（示した実施例では、５０〜２００バール程度、好ましくは１００〜１５０バール）より実施的に低く、例えば５〜４０バール程度、好ましくは５〜２５バールであることから、使用される弁要素２３Ａ、２３Ｂ、２３Ｃ、２３Ｄは例えば電磁弁であってよい。本発明の好適な実施形態によると、循環ポンプ３は、噴霧配管１７、１８内に待機中の圧力を同時に発生させるのに使用されることができる。示した実施形態では、スプリンクラポンプ５の吸込み側に配置された圧力逃がし弁２４によって生み出される１０バールの逆圧が発生する。配管内の圧力損失は最大で１５バールである。図５の実施形態では、スプリンクラポンプ５が作動していないとき、液体が、ポンプ５を通って、ポンプの通常の圧送方向に対して逆方向に循環することができることに留意されたい。循環ポンプ３は、ポンプ手段５が作動し始めたときに停止される。同様に、循環ポンプ３は、タンク１の液体表面レベルが設定値未満まで下がった場合に、あるいは例えばパイプ／ホースの破裂が起こった場合に停止される。
【００４４】
図５に示した実施形態に従った構成では、循環路の一部分が実際にスプリンクラで使用されることを意図したパイプより直径が小さいパイプを使用して構築される場合に、かなりの節約が可能となる。循環路の導管１６は、例としてはプラスチックパイプといった、低圧で使用されることを意図した例えばパイプ／ホースから構成されてよい。一方で、弁要素２３Ａ、２３Ｂ、２３Ｃ、２３Ｄは低圧に適した弁であってよい。図５は、循環路の代替形態の種々の実施例を示しており、この中から適当な１つをそれぞれのケースに合わせて選択することができる。セクションＡでは、循環路の流出導管１６Ａが、消火システムの主管路１７、１７Ａから分岐した分岐導管１８Ａに接続されており、さらに、噴霧ノズル２０を有する。圧力／流量の停止／調節要素４Ａ、２７Ａが、分岐導管１８Ａおよび／または循環導管１６Ａと一体に設けられており、消火システムの作動後、高圧の液体が循環パイプに入るのを防止する。図５においてセクションＡで示された実施形態では、停止／調節要素は、戻り止め弁４Ａ、さらに、やはり調節可能であってよいスロットル要素２７Ａを有する。循環パイプ１６Ａには追加的に弁要素２３Ａが設けられており、この弁を開く／閉めることにより、セクションＡに入る媒体の循環が調節されるのが可能になる。図に示した実施形態では、消火システムの主管路１７、１７Ａが循環路の戻し路として機能し、それにより、媒体が、ポンプ装置５を通ってタンク１内に流れることができる。
【００４５】
セクションＡより幾分単純な解決策を図５のセクションＢに示したが、ここでは、循環路の流出導管１６Ｂが主パイプ分岐導管１７Ｂのみに接続されており、噴霧ノズル２０を有する分岐導管１８Ｂへ接続された循環パイプは設けられていない。停止／調節要素４Ｂ、２７ＢはセクションＡの停止／調節要素に対応している。同様に、循環路は弁要素２３Ｂを有しており、この弁要素２３Ｂにより、循環路内での媒体の循環が開かれる／閉鎖される。消火システムの主管路１７、１７Ｂは、セクションＡの実施形態と同様に循環路の戻し路として機能する。
【００４６】
セクションＣでは、循環路の流出導管１６Ｃが主パイプ分岐導管１７Ｃのみに接続されており、噴霧ノズル２０を有する分岐導管１８Ｃへ接続される循環パイプはない。停止要素は戻り止め弁４Ｃであり、これは、消火システムの作動後に、高い圧力が循環導管１６、１６Ｃに入り込むのを防止する。この実施形態は２つの弁要素２３Ｃを有しており、この弁要素２３Ｃにより、セクションＣにおける主管路１７の分岐導管１７Ｃに入る媒体の循環が開かれる／閉鎖されることができる。ここでは、主管路１７、１７Ｃは戻し路としても機能する。
【００４７】
セクションＤの構成はセクションＣの構成に対応しているが、循環導管１６Ｄは、噴霧ノズル２０を有するそれぞれの分岐導管１８Ｄに接続されている。さらに、分岐導管１８Ｄに入る媒体の循環を開く／閉鎖するための分離弁要素２３Ｄが、各分岐導管１８Ｄと一体に設けられる。消火システムの主管路１７、１７Ｄは、循環路の戻し路として機能する。
【００４８】
一実施形態によると、本発明の方法は、厳しい衛生状態の要求基準を伴う噴霧システムと組み合わせて使用されることができる。このようなシステムには、例えば病院の消火システム、または、例えば研究所で使用されること意図した消火システムが含まれてよい。
【００４９】
本発明の方法および装置は、多岐にわたる種々のタイプの消火システムと組み合わせて使用されることができる。本発明の方法および装置は、低圧で作動する従来の消火システムでの使用に適用可能であり、さらには、消火媒体として水霧を使用する最新の消火システムでの使用にも適用可能である。水霧の消火システムと組み合わせて、用途に応じて配管内で高い圧力または低い圧力を使用することが可能である。
【００５０】
当業者には、本発明が上述の実施形態に限定されず、添付の特許請求の範囲内で変更されてよいことは明白である。他の特徴と共に本明細書に示してきた特徴は、必要であれば互いに別個に使用されることもできる。
【図面の簡単な説明】
【００５１】
【図１】本発明による解決策を示す図である。
【図２】本発明の第２の実施形態を示す図である。
【図３】本発明の第３の実施形態を示す図である。
【図４】本発明の第４の実施形態を示す図である。
【図５】本発明のさらに別の実施形態を示す図である。
【図１】
2009528870.tif 000003
【図２】
2009528870.tif 000004
【図３】
2009528870.tif 000005
【図４】
2009528870.tif 000006
【図５】
2009528870.tif 000007
【国際調査報告】
2009528870.tif 000008
2009528870.tif 000009
2009528870.tif 000010
2009528870.tif 000011